(57)【要約】      （修正有）【課題】浴室のサイズ（容積）に応じた温風風量及び換気風量を簡易に設定できる浴室空調装置を提供すること。【解決手段】浴室空調装置は、空気を加熱する加熱手段（ヒータ２３）と、浴室３内の空気を吸い込み浴室３内に吹き出す循環手段（循環ユニット２２）、浴室３内の空気を吸い込み浴室３外に排気する換気手段（換気ユニット１３ａ）の少なくとも何れかの手段を備えている。また、浴室空調装置は、前記循環手段、換気手段による換気量データの少なくとも何れかを前記浴室のサイズに応じて、記憶手段と、風量調整手段（２４，２９，３６ａ）と浴室サイズ設定手段と、該浴室サイズ設定手段で設定された前記浴室のサイズに応じて、前記データを前記記憶手段から読み出し、この読み出したデータに基づき前記風量調整手段の作動を制御する制御手段を備えている。【選択図】  図２
2006078004.tif 000002
【特許請求の範囲】
【請求項１】
空気を加熱する加熱手段と、
浴室内の空気を吸い込み浴室内に吹き出す循環手段、浴室内の空気を吸い込み浴室外に排気する換気手段の少なくとも何れかの手段を備えた浴室空調装置であって、
前記循環手段による浴室内に空気を循環させる循環量データ、換気手段により排出する換気量データの少なくとも何れかを前記浴室のサイズに応じて、複数記憶する記憶手段と、
前記風量を調整する風量調整手段と前記複数の浴室サイズを入力もしくは選択して設定する浴室サイズ設定手段と、
該浴室サイズ設定手段で設定された前記浴室のサイズに応じて、前記データを前記記憶手段から読み出し、この読み出したデータに基づき前記風量調整手段の作動を制御する制御手段を備えたことを特徴とする浴室空調装置。
【請求項２】
空気を加熱する加熱手段と、
浴室内の空気を吸い込み浴室内に吹き出す循環手段、を備えた浴室空調装置であって、
浴室内へ吹き出す空気の向きを調整する風向調整手段と、該風向調整手段を駆動する駆動手段と、駆動手段の作動を制御する制御部とを備え、前記制御手段に風向調整手段の向きを入力若しくは選択して設定する風向設定手段が設けられていることを特徴とする浴室空調装置。
【発明の詳細な説明】
【技術分野】
【０００１】
この発明は、浴室内に温風を吹き出して乾燥させる浴室空調装置に関するものである。
【背景技術】
【０００２】
従来から浴室空調装置には、浴室内の空気をファンにより空気吸込口から本体ケース内に吸い込んで、この吸い込んだ空気の一部を換気口から換気すると共に、吸い込んだ残りの空気をヒータで加熱して空気吹出口から浴室内に温風として吹き出すようにしたものが知られている（例えば、特許文献１参照）。
【０００３】
このような浴室空調装置を用いて浴室内で濡れている衣類等を乾燥させるために、浴室内にパイプ又は紐状態等の衣類支持手段を配設することが行われている。そして、この衣類支持手段に衣類を掛けたハンガーを吊り下げ或いは衣類を直接掛けて、浴室空調装置を作動させることにより、温風が空気吹出口から吹き出される一方、換気が行われて、衣類支持手段に支持された衣類が乾燥されることになる。
【特許文献１】特開平１１−４９９８号公報
【発明の開示】
【発明が解決しようとする課題】
【０００４】
しかしながら、このような浴室空調装置では、浴室内の温度が所定値以上になったときに安全装置が作動して、ヒータへの通電が停止させられるようになっている。
【０００５】
ところで、高出力の浴室空調装置を広い浴室に設置した場合、浴室内に吹き出される温風風量に対して換気風量が少なくても、温風風量と換気風量のバランスがとれるため、浴室空調装置の安全装置が作動するまで浴室内の温度が上昇せず、良好な衣類の乾燥を行うことができる。
【０００６】
しかし、広い浴室用の高出力の浴室空調装置を狭い浴室に設置した場合、浴室内に吹き出される温風風量に対して換気風量が少ないため、浴室内の温度が短時間で急激に上昇して、浴室空調装置の安全装置が作動して、浴室空調装置のヒータへの通電が停止させられてしまう。安全装置が働き、ヒータが非通電となる温度（例えば５０°C)と」安全装置が解除され、ヒータが復帰して通電する温度（例えば４０°C）とは、ヒータの通電・非通電が繰り返されてヒータの耐久性も損なうことがないように所定の温度差が設けられている。これにより、安全装置が作動してから、ヒータが復帰するまでのしばらくの間はヒータは通電しない状態で、浴室内に空気を吹き出していることになり、衣類乾燥、暖房効率が悪くなってしまう。
【０００７】
例えば、一般的に浴室サイズが小さい場合の方が浴室内の温度が上昇するのに時間がかからないため、衣類乾燥及び暖房効率が良いが、ヒータの安全装置が働くとそれが、ヒータが所定温度になるまで、ヒータは復帰せずにその間はヒータに通電しない状態で浴室内に空気を吹き出していることになる。安全装置が働く温度（例えば５０°Ｃ）とヒータの通電が復帰する温度が同一であると、ヒータの通電・非通電が繰り返されてヒータの耐久性も損なうと共に、衣類乾燥、暖房効率が悪くなってしまう。
【０００８】
また、衣類支持手段の設置場所によっては、衣類支持手段に支持させた衣類に温風を効果的に吹き付けることができず、衣類を効果的に乾燥できない場合も考えられる。
【０００９】
そこで、この発明の第１の目的は、浴室のサイズ（容積）に応じた温風風量及び換気風量を簡易に設定できる浴室空調装置を提供することにある。
【００１０】
また、この発明の第２の目的は、温風を衣類支持手段の設置場所に向けて吹き出し可能に調整できる浴室空調装置を提供することにある。
【課題を解決するための手段】
【００１１】
この第１の目的を達成するために、請求項１の発明は、空気を加熱する加熱手段と、浴室内の空気を吸い込み浴室内に吹き出す循環手段、浴室内の空気を吸い込み浴室外に排気する換気手段の少なくとも何れかの手段を備えた浴室空調装置であって、前記循環手段による浴室内に空気を循環させる循環量データ、換気手段により排出する換気量データの少なくとも何れかを前記浴室のサイズに応じて、複数記憶する記憶手段と、前記風量を調整する風量調整手段と前記複数の浴室サイズを入力もしくは選択して設定する浴室サイズ設定手段と、該浴室サイズ設定手段で設定された前記浴室のサイズに応じて、前記データを前記記憶手段から読み出し、この読み出したデータに基づき前記風量調整手段の作動を制御する制御手段を備えた浴室空調装置としたことを特徴とする。
【００１２】
また、第２の目的を達成するために、請求項２の発明は、空気を加熱する加熱手段と、浴室内の空気を吸い込み浴室内に吹き出す循環手段、を備えた浴室空調装置であって、浴室内へ吹き出す空気の向きを調整する風向調整手段と、該風向調整手段を駆動する駆動手段と、駆動手段の作動を制御する制御部とを備え、前記制御手段に風向調整手段の向きを入力若しくは選択して設定する風向設定手段が設けられている浴室空調装置としたことを特徴とする。
【発明の効果】
【００１３】
このような請求項１の発明によれば、浴室のサイズ（容積）に応じた温風風量及び換気風量を簡易に設定でき、衣類乾燥運転や浴室内の予備暖房運転を短時間で効率よく行うことができ、暖房効率、乾燥効率が向上する。
【００１４】
また、請求項２の発明によれば、温風を衣類支持手段の設置場所に向けて吹き出し可能に設定でき、効率よく短時間で乾燥運転が行える。
【発明を実施するための最良の形態】
【００１５】
以下、この発明の実施の形態を図面に基づいて説明する。
[構成]
図１（ａ），図１（ｂ）は、この発明に係る浴室空調装置からなる浴室乾燥機を設置した建物の一例を示したものである。
【００１６】
図１（ａ）〜図１（ｃ）の建物１は居室２及び浴室３を有する。この浴室３は、図１（ｂ）に示したように洗い場４，壁５，６，７，８及び浴室天井９を有する。また、図１（ｂ）において５ａは壁５に設けられた出入口、図２において９ａは浴室天井９に形成された取付穴である。
【００１７】
上述の図１，図２に示したように、浴室３内には壁７に接するように浴槽１０が設けられ、浴室天井９上には浴槽１０の上方に位置させて浴室乾燥機（浴室空調装置）１１が設置されている。この浴室乾燥機１１のコントローラ（リモコン）１１ａは出入口５ａが設けられた壁５に取り付けられている。更に、この浴室３内にはランドリーパイプ（衣類支持部材）１２が配設されている。このランドリーパイプ１２の両端部は壁５，７に直交する壁６，８に固定されている。尚、コントローラ１１ａは浴室３内に設けたが、浴室３外の脱衣所の壁に設けても良く、浴室乾燥機１の本体との通信は有線式でも、無線式でも良い。
【００１８】
浴室乾燥機１１は、図２に示したように循環ユニット１３と換気ユニット１３ａを有する。
（循環ユニット１３）
循環ユニット１３は、下端が開口し且つ浴室天井９の取付穴９ａに嵌合されて浴室天井９上に突出する循環用本体ケース１４と、循環用本体ケース１４の下端開口を覆うフロントパネル１５を有する。尚、循環用本体ケース１４及びフロントパネル１５は図示しない位置で浴室天井９に固定されている。
【００１９】
このフロントパネル１５には、浴室３に開口する空気吸込口１５ａ及び空気吹出口１５ｂが形成されている。そして、空気吸込口１５ａ及び空気吹出口１５ｂには、ルーバー１６，１７がそれぞれ取り付けられている。
【００２０】
この空気吹出口１５ｂのルーバー１７は、図３に示したように複数の羽根板１７ａと、羽根板１７ａを回動可能にフロントパネル１５に支持している支持軸１７ｂと、複数の各羽根板１７ａの一端部に回動可能に連結されたリンク１８を有する。また、ルーバー１７は、フロントパネル１５上に取り付けられたパルスモータ等の駆動モータ（駆動手段）１９と、駆動モータ１９の出力軸１９ａに取り付けられたアーム２０と、リンク１８の一端部に設けられ且つアーム２０の長孔２０ａに挿入された係合ピン２１を有する。
【００２１】
更に、循環ユニット１３は、循環用本体ケース１４内に配設された循環用のファン（電動送風機）ユニット２２と、ファンユニット２２の吐出側（排気側）に配設されたヒータ２３を有する。
【００２２】
このファンユニット２２は、循環用本体ケース１４に取り付けられた循環ファンモータ２４と、この循環ファンモータ２４に固定されたファンケース２５と、ファンケース２５内に配設され且つ循環ファンモータ２４により駆動されるシロッコファン等の循環ファン２６を有する。
【００２３】
ファンケース２５の吸込口２５ａは空気吸込口１５ａに連通させられ、ファンケース２５の空気吹出ダクト部２５ｂは空気吹出口１５ｂに接続されている。この空気吹出ダクト部２５ｂ内には空気吹出風路２５ｃが設けられ、この空気吹出風路２５ｃの途中には上述したヒータ２３が配設されている。２７はファンケース２５の吸込口２５ａ近傍に配設された温度センサ（安全装置）である。この温度センサ２７には第１の所定値（例えば５０°Ｃ）になると通電が切れ、第２の所定値（例えば４０°Ｃ）になると復帰するような安全装置が備えられている。
（換気ユニット１３ａ）
この換気ユニット１３ａは、循環ユニット１３の循環用本体ケース１４に隣接させて固定した換気用本体ケース２８と、換気用本体ケース２８に固定された換気ファンモータ２９と、換気ファンモータ２９により回転駆動されるシロッコファン等の換気ファン３０を有する。
【００２４】
しかも、換気用本体ケース２８内には、換気ファン３０の吸込口３０ａに連通する吸込風路３１と、排気風路３２が形成されている。そして、排気風路３２には、大気に開放させた排気ダクト３３が接続されている。
【００２５】
また、循環用本体ケース１４と換気用本体ケース２８の隣接する壁部１４ａ，２８ａには互いに連通する連通口３４，３５が形成され、壁部２８ａには連通口３５を開閉する浴室ダンパ３６が取り付けられている。この浴室ダンパ３６はパルスモータ等の駆動モータ３６ａにより開閉制御されるようになっている。
（制御部）
また、換気用本体ケース２８には制御部３７が設けられている。この制御部３７には、図４に示したように制御回路３８、及び制御回路３８に接続されたメモリ（記憶部）３９が設けられている。
【００２６】
そして、制御回路３８には、コントローラ１１ａが接続されていると共に、温度センサ２７（安全装置）が接続されている。また、制御回路３８には、駆動モータ（駆動手段）１９，ヒータ２３，循環ファンモータ２４，換気ファンモータ２９，及び駆動モータ３６ａが接続されている。
【００２７】
更に、コントローラ１１ａには図５に示したようなサイズ切換手段４０が設けられている。このサイズ切換手段４０は、複数のディップスイッチ４０ａ，４０ｂ，４０ｃを有すると共に、ディップスイッチ４０ａ，４０ｂ，４０ｃに対応して例えば「１２１６」，「１６１６」，「１６２０」等の浴室サイズの数値データが付されている。ここで、浴室サイズ「１２１６」は床面積が１２００ｍｍ×１６００ｍｍであることを意味し、浴室サイズ「１６１６」は床面積が１６００ｍｍ×１６００ｍｍであることを意味し、浴室サイズ「１６２０」は床面積が１６００ｍｍ×２０００ｍｍであることを意味する。
【００２８】
また、図６に示したように、例えば、浴室サイズのデータ「１２１６」に対応する循環風量のデータを「１５０ｍ3／ｈ」とすると共に換気風量のデータを「１００ｍ3／ｈ」とする。同様に、浴室サイズのデータ「１６１６」に対応する循環風量のデータを「１５０ｍ3／ｈ」とすると共に換気風量のデータを「８０ｍ3／ｈ」とする。また、浴室サイズのデータ「１６２０」に対応する循環風量のデータを「１８０ｍ3／ｈ」とすると共に換気風量のデータを「６０ｍ3／ｈ」とする。
【００２９】
これらのデータの対応関係は、浴室サイズのデータと風量のデータとして図６に示したマトリックス表のように予めメモリ３９に記憶させてある。
【００３０】
そして、図５のディップスイッチ４０ａ，４０ｂ，４０ｃのいずれか一つを図５中上側に移動させて選択すると、浴室乾燥機１１の電源が投入（ＯＮ）させられたときに、ディップスイッチ４０ａ，４０ｂ，４０ｃのうち移動させられたものからの選択信号が制御回路３８に入力される。
【００３１】
しかも、この制御回路３８は、浴室乾燥機１１の電源が投入（ＯＮ）させられると、ディップスイッチ４０ａ，４０ｂ，４０ｃのうち選択されたものからの選択信号を受ける。そして、制御回路３８は、この選択信号を受けると、ディップスイッチ４０ａ，４０ｂ，４０ｃのうち移動（選択）させられたものに対応する循環風量及び換気風量のデータをメモリ３９から読み出して、読み出された循環風量及び換気風量のデータに基づいて循環ファンモータ２４，換気ファンモータ２９，及び駆動モータ３６ａ等が作動制御されるようになっている。
【００３２】
また、制御回路３８は、コントローラ１１ａを操作することにより、図１に示したランドリーパイプ１２から天井までの寸法Ａと、ランドリーパイプ１２から浴室乾燥機１１の空気吹出口１５ｂ（図２参照）までの寸法Ｂを入力できるようになっている。また、メモリ３９には、寸法Ａ，Ｂに対応する図８に示したようなルーバー１７の角度（空気吹出方向）のデータが記憶させてあり、この記憶させたデータに基づいてルーバー１７の角度を作動制御するようになっている。
【００３３】
尚、寸法Ｂの入力は、浴室乾燥機１１の空気吹出口１５ｂまでの寸法を入力したが浴室乾燥の本体の中心までの距離を入力するようになっていても良い。
[作用]
次に、このような構成の浴室乾燥機１１の作用を説明する。
＜設定操作＞
このような構成においては、図５中、ディップスイッチ４０ａを上側に移動させると、浴室サイズ「１２１６」が選択（設定）され、ディップスイッチ４０ｂを上側に移動させると、浴室サイズ「１６１６」が選択（設定）され、ディップスイッチ４０ｃを上側に移動させると、浴室サイズ「１６２０」が選択（設定）される。
【００３４】
また、このような構成において制御回路３８は、コントローラ１１ａを操作することにより、図４のコントローラ１１ａで空気吹出方向設定を選択すると、図７に示した空気吹出方向設定処理が開始される。即ち、制御回路３８は、ステップＳ１において、コントローラ１１ａの表示部１１ｂを空気吹出方向設定画面（ランドリーパイプ位置設定画面）にしてステップＳ２に移行する。
【００３５】
このステップＳ２において天井からランドリーパイプ１２までの寸法Ａが入力され、ステップＳ３において浴室乾燥機１１の空気吹出口１５ｂからランドリーパイプ１２までの寸法Ｂが入力される。
【００３６】
そして、ステップＳ４において制御回路３８は、寸法Ａ，Ｂが入力されると、メモリ３９に記憶されている図８のマトリックス表のデータから最良の空気吹出角度を選択する。例えば、制御回路３８は、寸法Ａが２００ｍｍ、寸法Ｂが５０ｍｍの場合、空気吹出角度を図８に示したマトリックス表から２°を選択し、ステップＳ５へ移行する。
【００３７】
尚、角度２°とは、ルーバー１７の垂直方向を０°として図３に二点鎖線で示したように所定角度２°傾斜することを指している。
【００３８】
また、制御回路３８は、ステップＳ４において選択された空気吹出角度に基づいて駆動モータ１９を作動制御して、アーム２０を時計回り方向又は反時計回り方向に回動させ、リンク１８を図３中左方又は右方に移動させて、ルーバー１７の羽根１７ａを支持軸１７ｂを中心に時計回り方向又は反時計回り方向に回動させ、羽根１７ａ，１７ａ間に形成される風路（空気吹出方向）をランドリーパイプ１２側に向けさせて終了する。このルーバー１７の空気吹出方向は、次の設定処理がされるまで維持される。
【００３９】
尚、ルーバー１７の角度は浴室３のサイズに基づいて設定することもできる。
＜動作＞
（予備暖房運転、入浴暖房運転等）
このような構成において、予備暖房運転、入浴暖房運転は、コントローラ１１ａに設けられた予備暖房モードスイッチａ１、入浴暖房モードスイッチａ２が選択されることにより運転が開始される。
【００４０】
これにより制御回路３８は、ヒータ２３に通電してヒータ２３を発熱させると共に、循環ファンモータ２４及び換気ファンモータ２９を駆動して、浴室３内の空気を空気吸込口１５ａからフロントパネル１５内に吸い込ませる。この吸い込まれた空気は、吸込口２５ａから循環ファン２６内に吸い込んで空気吹出風路２５ｃ内に吐出する。この空気吹出風路２５ｃ内に吐出された空気はヒータ２３を透過して加熱された後、ルーバー１７を介して浴室３内に温風として吹き出される。
【００４１】
そして、入浴前に浴室３内を暖める予備暖房運転で制御回路３８は、洗い場４側に温風を吹き出すようにして洗い場４の床面を暖めるように、ルーバー１７の向きを洗い場４の床面に向けるように制御する。
【００４２】
また、入浴時には、入浴者の身体が濡れているので、吹き出された空気が直接、入浴者に当たると、気化熱により熱が身体から奪われ寒さを感じる。これを回避するために入浴時に制御回路３８は、温風を洗い場以外の方向、例えば浴槽１０に向けて吹き出すように、ルーバー１７の浴槽１０側に向けるようになっている。
【００４３】
その際、コントローラ１１ａの設定手段で浴室サイズを入力もしくは選択するすることにより、浴室３のサイズが大きい場合には設定手段の設定を該当する浴室サイズとする。この設定により制御回路３８は、予備暖房運転時にはルーバー１７の角度を角度大（例えば３０°）、入浴暖房運転時にはルーバー１７の角度を角度小（例えば０°）と設定されるように制御する。また、制御回路３８は、予備暖房モードと入浴暖房モードとで浴室サイズに応じて、循環風量を変更するように制御する。
【００４４】
これにより、浴室サイズに応じて、入浴前の予備暖房運転、入浴中の暖房が効率良く行える。
【００４５】
尚、予備暖房運転、入浴暖房運転及び浴室サイズに応じてルーバー１７の角度を設定するようにしたが、必ずしもこれに限定されるものではない。例えば、予備暖房運転時のルーバー１７の角度を、前述のランドリーパイプ１２のルーバー１７の角度の設定と同様にして、洗い場４の位置に向けるようにしても良い。
（循環及び換気運転）
また、制御回路３８は、コントローラ１１ａにより乾燥モードが選択されると、駆動モータ３６ａをＯＮさせて、浴室ダンパ３６を開いて、連通口３４，３５を連通させると共に、ヒータ２３に通電してヒータ２３を発熱させる。
【００４６】
この際、制御回路３８は、循環ファンモータ２４及び換気ファンモータ２９を駆動して、浴室３内の空気を空気吸込口１５ａからフロントパネル１５内に吸い込ませる。
【００４７】
そして、循環ファンモータ２４は、フロントパネル１５内に吸い込まれた空気を、吸込口２５ａから循環ファン２６内に吸い込んで空気吹出風路２５ｃ内に吐出する。この空気吹出風路２５ｃ内に吐出された空気はヒータ２３を透過して加熱された後、ルーバー１７を介して浴室３内に温風として吹き出される。このルーバー１７から吹き出される温風はランドリーパイプ１２側に向けて吹き出され、ランドリーパイプ１２に掛けられた衣類を乾燥させる。
【００４８】
また、換気ファンモータ２９は、フロントパネル１５内に吸い込まれた空気を、連通口３４，３５及び吸込風路３１を介して吸込口３０ａから換気ファン３０内に吸い込んで排気風路３２及び排気ダクト３３を介して大気に排気する。
【００４９】
また、浴室乾燥機１１は、常時換気機能を有していて、住宅の換気が必要なエリア容積の所定換気回数（例えば、０．５回／時）を満たすようになっている。冬季などは所定回数を通常より少なくする（例えば、０．３回／時）。この設定はスイッチまたは入力手段で行うようにしても良い。
（温度制御）
しかも、温度センサ２７からの温度検出信号は、浴室乾燥機１１の図示しない電源がＯＮされると制御回路３８に入力される。この制御回路３８は、図示しない電源がＯＮされると、図９に示した温度監視処理を開始する。
【００５０】
そして、制御回路３８は、ステップＳ２１で循環ファン２６への吸込温度が安全装置作動温度、例えば循環ファン２６への吸込温度が５０°Ｃ以上か否かを判断する。この判断において制御回路３８は、吸込温度が５０°Ｃより低い場合にはループし、吸込温度が５０°Ｃ以上の場合にはステップＳ２２へ移行する。ここで、安全装置は、例えば図示しない電源回路からヒータ２３への通電を遮断する遮断スイッチとして説明する。
【００５１】
ステップＳ２２において制御回路３８は、遮断スイッチ（安全装置）を作動させて、ヒータ２３への通電を停止させ、ステップＳ２３へ移行する。
【００５２】
このステップＳ２３において制御回路３８は、循環ファン２６への吸込温度が遮断スイッチ（安全装置）の作動を停止（ＯＦＦ）させる温度か否か、例えば循環ファン２６への吸込温度が４０°Ｃ以下か否かを判断し、循環ファン２６への吸込温度が４０°Ｃより高い場合にはループし、循環ファン２６への吸込温度が４０°Ｃ以下の場合にはステップＳ２４へ移行する。
【００５３】
このステップＳ２４において制御回路３８は、図示しない遮断スイッチ（安全装置）の作動を停止（ＯＦＦ）させて、図示しない電源回路からヒータ２３に通電し、ステップＳ２１に戻る。
（風量制御）
一方、制御回路３８は、浴室乾燥機１１の図示しない電源が投入（ＯＮ）させられると、ディップスイッチ４０ａ，４０ｂ，４０ｃのうち移動（選択）させられたものに対応する循環風量及び換気風量のデータをメモリ３９から読み出して、読み出された循環風量及び換気風量のデータに基づいて循環ファンモータ２４，換気ファンモータ２９，及び駆動モータ３６ａ等を作動制御する。ここで、循環風量は循環ファンモータ２４を作動制御することにより決定され、換気風量は浴室ダンパ３６の開度制御及び換気ファンモータ２９を作動制御することにより決定される。
【００５４】
従って、制御回路３８は、例えば図５中ディップスイッチ４０ａが上側に移動させられて、浴室サイズのデータ「１２１６」が選択されている場合、コントローラ１１ａにより、乾燥モードが選択されると、ディップスイッチ４０ａからの選択信号を受ける。そして、制御回路３８は、この選択信号を受けると、ディップスイッチ４０ａに対応する循環風量のデータ「１５０ｍ3／ｈ」及び換気風量のデータを「１００ｍ3／ｈ」をメモリ３９から読み出して、この読み出した循環風量及び換気風量のデータ基づいて循環ファンモータ２４，換気ファンモータ２９，及び駆動モータ３６ａ等を作動制御し、ルーバー１７から吹き出される循環風量を１５０ｍ3／ｈとし、排気ダクト３３から排気される換気風量を１００ｍ3／ｈとする。
【００５５】
また、制御回路３８は、例えば図５中ディップスイッチ４０ｂが上側に移動させられて、浴室サイズのデータ「１６２０」が選択されている場合、コントローラ１１ａにより、乾燥モードが選択されると、ディップスイッチ４０ｂからの選択信号を受ける。そして、制御回路３８は、この選択信号を受けると、ディップスイッチ４０ｂに対応する循環風量のデータ「１５０ｍ3／ｈ」及び換気風量のデータを換気風量のデータを「８０ｍ3／ｈ」をメモリ３９から読み出して、この読み出した循環風量及び換気風量のデータ基づいて循環ファンモータ２４，換気ファンモータ２９，及び駆動モータ３６ａ等を作動制御し、ルーバー１７から吹き出される循環風量を１５０ｍ3／ｈとし、排気ダクト３３から排気される換気風量を８０ｍ3／ｈとする。
【００５６】
更に、制御回路３８は、例えば図５中ディップスイッチ４０ｃが上側に移動させられて、浴室サイズのデータ「１６１６」が選択されている場合、コントローラ１１ａにより、乾燥モードが選択されると、ディップスイッチ４０ｃからの選択信号を受ける。そして、制御回路３８は、この選択信号を受けると、ディップスイッチ４０ｃに対応する循環風量のデータ「１８０ｍ3／ｈ」及び換気風量のデータを「６０ｍ3／ｈ」をメモリ３９から読み出して、この読み出した循環風量及び換気風量のデータ基づいて循環ファンモータ２４，換気ファンモータ２９，及び駆動モータ３６ａ等を作動制御し、ルーバー１７から吹き出される循環風量を１８０ｍ3／ｈとし、排気ダクト３３から排気される換気風量を６０ｍ3／ｈとする。
【００５７】
尚、上述した浴室サイズのデータや温風風量及び換気風量のデータは、一例を示したものであって、必ずしも上述した例に限定されるものではない。また、ルーバー１７の空気吹出方向の設定に用いるデータは、必ずしも図８のマトリックス表のデータに限定されるものではない。
【００５８】
乾燥モードによる乾燥運転について記載したが、ヒータを用いないこと以外は乾燥モードと同様な涼風モードでもよく、さらには、温風風量のみを設定する暖房モードに利用しても良い。
【００５９】
また、上述した浴室空調装置（浴室乾燥機）１１は、浴室の換気を行ったが、ダクトを介して脱衣所やトイレといったサニタリー空間の室内の空気を吸い込み排気するようにした多室換気機能を備えるようにした浴室乾燥機であっても良い。
[変形例]
以上説明した実施例では、浴室乾燥機１１の循環ユニット１３が循環用本体ケース１４内に配設された循環用のファン（電動送風機）ユニット２２を有すると共に、換気ユニット１３ａが換気ファンモータ２９により回転駆動されるシロッコファン等の換気ファン３０を有する構成としているが、必ずしもこれに限定されるものではない。例えば、図１０に示したように構成して、上述した実施例と同様に浴室サイズに応じた温風の循環風量や排気風量の設定を行うようにしても良い。
【００６０】
この図１０において、循環ユニット１３のファンユニット２２はエア吹出風路５０を有し、このエア吹出風路５０の途中には排気ダクト３３が接続されている。しかも、エア吹出風路５０内には、円弧状のダンパ５１が支持軸５２を中心に回動可能に設けられている。
【００６１】
このダンパ５１は、図示しない駆動モータ等の駆動手段で支持軸５２と一体に破線等で示したように回動制御されるようになっている。この回動制御により、エア吹出口から浴室３内へ循環される空気の循環量と排気ダクト３３から大気に排気される空気の排気量がダンパ５１で制御されるようになっている。このダンパ５１の回動角度を浴室サイズに応じて設定することにより、上述した実施例と同様に浴室サイズに応じた温風の循環風量や排気風量の設定を行うことができる。
【００６２】
以上説明したように、この発明の実施の形態の浴室空調装置は、空気を加熱する加熱手段（ヒータ２３）と、浴室３内の空気を吸い込み浴室３内に吹き出す循環手段（循環ユニット２２）、浴室３内の空気を吸い込み浴室３外に排気する換気手段（換気ユニット１３ａ）の少なくとも何れかの手段を備えている。また、浴室空調装置は、前記循環手段（循環ユニット２２）による浴室２内に空気を循環させる循環量データ、換気手段（換気ユニット１３ａ）により排出する換気量データの少なくとも何れかを前記浴室のサイズに応じて、複数記憶する記憶手段（メモリ３９）と、前記風量を調整する風量調整手段（２４，２９，３６ａ）と前記複数の浴室サイズを入力もしくは選択して設定する浴室サイズ設定手段（サイズ切換手段４０）と、該浴室サイズ設定手段で設定された前記浴室のサイズに応じて、前記データを前記記憶手段（メモリ３９）から読み出し、この読み出したデータに基づき前記風量調整手段（２４，２９，３６ａ）の作動を制御する制御手段（制御回路３８）を備えている。
【００６３】
この構成によれば、浴室のサイズ（容積）に応じた温風風量及び換気風量を簡易に設定でき、衣類乾燥運転や浴室内の予備暖房運転を短時間で効率よく行うことができ、暖房効率、乾燥効率が向上する。
【００６４】
また、この発明の実施の形態の浴室空調装置は、空気を加熱する加熱手段（ヒータ２３）と、浴室３内の空気を吸い込み浴室３内に吹き出す循環手段（循環ユニット２２）、を備えている。また、浴室空調装置は、浴室３内へ吹き出す空気の向きを調整する風向調整手段（ルーバー１７）と、該風向調整手段（ルーバー１７）を駆動する駆動手段（駆動モータ１９）と、駆動手段（駆動モータ１９）の作動を制御する制御部（制御回路３８）とを備えている。しかも、前記制御手段（制御回路３８）に風向調整手段（ルーバー１７）の向きを入力若しくは選択して設定する風向設定手段（コントローラ１１ａ）が設けられている。
【００６５】
この構成によれば、温風を衣類支持手段の設置場所に向けて吹き出し可能に設定でき、効率よく短時間で乾燥運転が行える。また、予備暖房時には選択された浴室サイズに応じた吹き出し角度にすることで、洗い場４の例えば中央に向けて温風を向け効率よく暖房運転が行える。
【００６６】
また、この発明の実施の形態の浴室乾燥機１１は、ファン（２６，３０）及びヒータ（２３）が本体ケース（１４，２８）内に内蔵され、前記本体ケース（１４，２８）に空気吸込口（１５ａ），空気吹出口（１５ｂ）及び換気口（排気風路３２）が設けられていると共に、浴室（３）内の空気を前記ファン（２６，３０）により前記空気吸込口（１５ａ）から本体ケース（１４）内に吸い込んで、この吸い込んだ空気の一部を前記換気口（排気風路３２）から換気すると共に、吸い込んだ残りの空気を前記ヒータ（２３）で加熱して前記空気吹出口（１５ｂ）から前記浴室内に温風として吹き出すようになっている。しかも、浴室乾燥機１１は、前記空気吹出口（１５ｂ）から吹き出される空気の温風風量のデータ及び前記換気口から吹き出される空気の換気風量のデータを前記浴室（３）のサイズ（浴室サイズ）に応じて複数記憶する記憶手段（メモリ３９）と、前記温風風量及び前記換気風量を調整する風量調整手段（２４，２９，３６ａ）と、前記複数の浴室（３）のサイズのいずれかを選択する選択手段（サイズ切換手段４０）と、前記選択手段（サイズ切換手段４０）で選択される前記浴室（３）のサイズに応じた前記データを前記記憶手段（３９）から読み出し、この読み出したデータに基づき前記風量調整手段（２４，２９，３６ａ）を作動制御する制御手段（制御回路３８）を有する。
【００６７】
このような構成によれば、浴室のサイズ（容積）に応じた温風風量及び換気風量を簡易に設定できる。
【００６８】
また、この発明の実施の形態の浴室乾燥機１１は、ファン（２６，３０）及びヒータ（２３）が本体ケース（１４，２８）内に内蔵され、前記本体ケース（１４，２８）に空気吸込口（１５ａ），空気吹出口（１５ｂ）及び換気口（排気風路３２）が設けられていると共に、浴室（３）内の空気を前記ファン（２６，３０）により前記空気吸込口（１５ａ）から本体ケース（１４）内に吸い込んで、この吸い込んだ空気の一部を前記換気口（排気風路３２）から換気すると共に、吸い込んだ残りの空気を前記ヒータ（２３）で加熱して前記空気吹出口（１５ｂ）から前記浴室内に温風として吹き出すようになっている。しかも、前記空気吹出口（１５ｂ）に設けられたルーバー（１７）と、前記ルーバー（１７）を駆動する駆動手段（駆動モータ１９）と、前記駆動手段（駆動モータ１９）を作動制御して前記ルーバー（１７）の向きを調整する制御手段（制御回路３８）と、前記制御手段（制御回路３８）に前記ルーバー（１７）の向きを入力する入力手段（コントローラ１１ａ）が設けられている。
【００６９】
この構成によれば、温風を衣類支持手段（ランドリーパイプ１２）の設置場所に向けて吹き出し可能に調整できる。この衣類支持手段（ランドリーパイプ１２）の設置場所が変わっても、温風を衣類支持手段（ランドリーパイプ１２）の設置場所に向けて吹き出し可能に調整できるので、温風を衣類支持手段（ランドリーパイプ１２）の設置場所の自由度が増すことになる。尚、ルーバー１７を設置場所に向けていれば、ランドリーパイプ１２から衣類のある所定角度下方に向けてスイングさせるような制御を行っても良い。
【００７０】
しかも、ルーバーの空気吹出方向（温風吹き出し方向）は衣類支持手段（ランドリーパイプ１２）の設置場所に向けられるので、ルーバーをスイングさせて温風の吹き出し方向を連続的に変化させるタイプに比べて、衣類支持手段（ランドリーパイプ１２）に支持された衣類を迅速且つ効果的に乾燥させることができ、安定した衣類乾燥性能を得ることができる。
【００７１】
尚、予め浴室乾燥機１１の開発段階で、浴室乾燥機１１に対するランドリーパイプ１２の取付位置（寸法Ａ，Ｂ）と空気吹出口１５ｂのルーバー１７の最適な角度の関係のデータを実験により求めておいて、このデータを記憶手段（メモリ３９）に記憶させる。しかも、制御手段（制御回路３８）は、施工時に入力手段（コントローラ１１ａ）から寸法Ａ，Ｂを入力することで、記憶手段（メモリ３９）に記憶させたデータに基づいて駆動手段（駆動モータ１９）を作動制御するようにする。この際、制御手段（制御回路３８）は、駆動手段（駆動モータ１９）を作動制御して、前記ルーバー（１７）の向きを衣類支持手段（ランドリーパイプ１２）に対して最適な角度に調整し、前記ルーバー（１７）から吹き出される温風を衣類支持手段（ランドリーパイプ１２）に支持される衣類に対して最適な状態で吹き付けて、衣類を迅速且つ効果的に乾燥させることができる。
【図面の簡単な説明】
【００７２】
【図１】（ａ）はこの発明に係る浴室空調装置を備える建物の概略説明図、（ｂ）は（ａ）のＡ１−Ａ１線に沿う断面図、（ｃ）は（ａ）のＡ２−Ａ２線に沿う断面図である。
【図２】図１に示した浴室空調装置の断面図である。
【図３】図２のルーバーとその駆動モータとの関係を示す説明図である。
【図４】図２のリモコンと制御部との関係を示す回路図である。
【図５】図４のリモコンの風量設定用のディップスイッチの説明図である。
【図６】図５のディップスイッチに対応する風量設定の説明図である。
【図７】図２，３に示したルーバーの角度（空気吹出方向）の設定を説明する為のフローチャートである。
【図８】図２，３に示したルーバーの角度（空気吹出方向）の設定のためのデータを示す説明図である。
【図９】図２のヒータのＯＮ・ＯＦＦ制御を説明するためのフローチャートである。
【図１０】この発明に係る浴室空調装置の変形例を示す説明図である。
【符号の説明】
【００７３】
１１…浴室乾燥機（浴室空調装置）
１１ａ…コントローラ
１３ａ…換気ユニット
１７…ルーバー（風向調整手段）
１９…駆動モータ（駆動手段）
２２…循環ユニット
２３…ヒータ（加熱手段）
２４…循環ファンモータ（風量調整手段）
２９…換気ファンモータ（風量調整手段）
３６…浴室ダンパ（風量調整手段）
３６ａ…駆動モータ（風量調整手段）
３８…制御回路（制御手段、制御部）
３９…メモリ（記憶手段）
４０…サイズ切換手段（選択手段）
【図１】
2006078004.tif 000003
【図２】
2006078004.tif 000004
【図３】
2006078004.tif 000005
【図４】
2006078004.tif 000006
【図５】
2006078004.tif 000007
【図６】
2006078004.tif 000008
【図７】
2006078004.tif 000009
【図８】
2006078004.tif 000010
【図９】
2006078004.tif 000011
【図１０】
2006078004.tif 000012